(57)【要約】【課題】  現場での脚フレームの取付け位置の位置決め作業を簡易に行なうことにより、施工性の向上を図る。【解決手段】  収納空間２の上方に配設されるカウンターフレーム３と、カウンターフレーム３の下面の奥行き方向Ａ及び横幅方向Ｂに各々配設される横フレーム４と、上記収納空間２の高さ方向Ｃに配設される脚フレーム５と、上記横フレーム４の長手方向Ｅに形成された取付け用溝６の所望位置に脚フレーム５の上端を取り付けるための取付手段７とで構成されるフレーム型キッチン１である。横フレーム４の外面にその長手方向に沿わせて、脚フレーム５の位置決め用の目盛りを付した。【選択図】        図１
2006296961.tif 000002
【特許請求の範囲】
【請求項１】
収納空間の上方に配設されるカウンターフレームと、カウンターフレームの下面の奥行き方向及び横幅方向に各々配設される横フレームと、上記収納空間の高さ方向に配設される脚フレームと、上記横フレームの長手方向に形成された取付け用溝の所望位置に脚フレームの上端を取り付けるための取付手段とで構成されるフレーム型キッチンであって、横フレームの外面にその長手方向に沿わせて、脚フレームの位置決め用の目盛り或いは目印を付したことを特徴とするフレーム型キッチン。
【請求項２】
上記横フレームと平行な方向に向き且つ脚フレームと直交する方向に向けて、脚フレームの下部間に跨るように補強桟を架設すると共に、補強桟の外面に、脚フレームの垂直状態を確認するための目盛り或いは目印を付したことを特徴とする請求項１記載のフレーム型キッチン。
【発明の詳細な説明】
【技術分野】
【０００１】
本発明は、フレーム型キッチンに関し、詳しくは現場での組み立て施工性を向上させる目盛り機能を有するフレーム型キッチンに関するものである。
【背景技術】
【０００２】
従来より、収納空間の上方に配設されるカウンターフレームと、カウンターフレームの下面の奥行き方向及び横幅方向に各々配設される横フレームと、上記収納空間の高さ方向に配設される脚フレームと、上記横フレームに対して脚フレームを着脱自在に取り付ける取付手段とを備えたキッチンキャビネットが知られている（例えば、特許文献１参照）。
【０００３】
この種のキッチンキャビネットは、横フレームと脚フレームとを取り外し可能とすることで、工場から現場への輸送性を良好とし、また脚フレームの取付け位置を変更可能とすることで、ユーザーの好みに応じて様々なキッチンプランの仕様に変更できるようにしたものである。
【０００４】
従来では、予め選ばれたキッチンプランの仕様に合わせて、工場で脚フレームの取付け位置を予め採寸しておき、横フレーム付きカウンターフレームと、脚フレームとを別体で出荷し、現場に搬入して組み立て施工する。このとき、脚フレームが予め採寸された位置にくるように、物差しを用いて脚フレームの取付け位置を位置決めしてから、脚フレームを固定する。このように、現場では、脚フレームの位置決めのための採寸作業を物差しを用いて行なう必要があるため、採寸作業に手間がかかるだけでなく採寸ミスも起こりやすく、現場での施工効率がきわめて悪いという問題があった。
【特許文献１】特開２００４−２２３００６号公報
【発明の開示】
【発明が解決しようとする課題】
【０００５】
本発明は上記の従来の問題点に鑑みて発明したものであって、現場での脚フレームの取付け位置の位置決め作業を従来のような物差しを用いずに、簡易に行なえるようにして、施工性の向上を図ることができるフレーム型キッチンを提供することを課題とするものである。
【課題を解決するための手段】
【０００６】
前記課題を解決するために本発明は収納空間２の上方に配設されるカウンターフレーム３と、カウンターフレーム３の下面の奥行き方向Ａ及び横幅方向Ｂに各々配設される横フレーム４と、上記収納空間２の高さ方向Ｃに配設される脚フレーム５と、上記横フレーム４の長手方向Ｅに形成された取付け用溝６の所望位置に脚フレーム５の上端を取り付けるための取付手段７とで構成されるフレーム型キッチンであって、横フレーム４の外面にその長手方向Ｅに沿わせて、脚フレーム５の位置決め用の目盛り９或いは目印１０を付したことを特徴としている。
【０００７】
このように構成することで、出荷前に予め選ばれたキッチンプランの仕様に合わせた脚フレーム５の取付け位置を採寸しておき、現場でカウンターフレーム３と脚フレーム５とを組み立て施工する際に、横フレーム４の外面に付された目盛り９等を見て、工場で予め採寸した脚フレーム５の取付け位置のデータ通りに脚フレーム５を横フレーム４に位置決めすればよいので、従来のような物差しによる採寸作業が不要となる。
【０００８】
また、上記横フレーム４と平行な方向Ｅ´に向き且つ脚フレーム５と直交する方向に向けて、脚フレーム５の下部間に跨るように補強桟１１を架設すると共に、補強桟１１の外面に、脚フレーム５の垂直状態を確認するための目盛り９´或いは目印を付するのが好ましく、この場合、補強桟１１に付した目盛り９´等によって、脚フレーム５が垂直に取り付けられているかどうかを容易に確認でき、施工の信頼性も高められる。
【発明の効果】
【０００９】
本発明のフレーム型キッチンにおいて、横フレームの外面にその長手方向に沿わせて、脚フレームの位置決め用の目盛り或いは目印を付すことにより、現場施工時に、横フレームの目盛り等を見て脚フレームの位置決めができるので、従来のような物差しによる採寸作業は不要となり、現場での脚フレームの位置決めの採寸作業がきわめて容易となり、施工性の向上を図ることができる。
【発明を実施するための最良の形態】
【００１０】
以下、本発明を添付図面に示す実施形態に基いて説明する。
【００１１】
本実施形態のフレーム型キッチン１は、水栓、流し、コンロの機能のみを標準装備した基本ユニット１Ａを備えている。基本ユニット１Ａは、図１、図２に示すように、収納空間２の上方に配設されるカウンターフレーム３と、カウンターフレーム３の下面の奥行き方向Ａ及び横幅方向Ｂに各々配設される横フレーム４と、収納空間２の高さ方向Ｃに配設される脚フレーム５と、脚フレーム５と横フレーム４を所望の位置に取り付けるための取付手段７とを具備している。各フレーム３〜５は例えばアルミニウム又はステンレススチールで構成される。
【００１２】
ここで、本例のカウンターフレーム３は、左右にシンク１４とコンロ用ビルトイン穴１５とが分かれて配設されており、中央は平坦な天板部１６となっている。
【００１３】
本例の横フレーム４は、カウンターフレーム３の下面の横幅方向Ｂに延びる前後一対の横フレーム４と、カウンターフレーム３の下面の奥行き方向Ａに延びる左右一対の横フレーム４とを備えており、少なくとも前後一対の横フレーム４に、その長手方向Ｅの全長に亘って、下方に開口した取付け用溝６がそれぞれ形成されている。
【００１４】
また、本例の脚フレーム５の上端には、取付手段７を構成する取付金具７ａが取り付けられ、この取付金具７ａを横フレーム４の取付け用溝６に嵌め込んだ状態で、脚フレーム５を横フレーム４の所望位置にスライドさせて位置決めできるようになっている。なお、脚フレーム５の下端には高さ調整用のアジャスター、或いはキャスター等が取り付けられている。
【００１５】
さらに本例では、図１に示すように、カウンターフレーム３の中央側には、奥行き方向Ａに対をなした２本の脚フレーム５とこの２本の脚フレーム５の下部間を互いに連結する連結桟１２とで構成された左右２組の脚ブロック５Ａが配設され、各組の脚ブロック５Ａが前後一対の横フレーム４に対して各々取り付けられるようになっている。一方、カウンターフレーム３の両端の２箇所には、奥行き方向Ａに対をなした２本の脚フレーム５´とこの２本の脚フレーム５´の下部間を互いに連結する連結桟１２とで構成された左右２組の固定脚ブロック５Ｂが配設され、各組の固定脚ブロック５Ｂの脚フレーム５´がカウンターフレーム３の四隅に各々直接固定されるようになっている。そして、各脚ブロック５Ａ，５Ｂ相互間には、横フレーム４と平行な方向Ｅ´に向き且つ脚フレーム５，５´と直交する方向に向けて、すべての連結桟１２間に跨るように補強桟１１が架設されている。
【００１６】
ここで、上記横フレーム４の取付け用溝６近傍には、現場において脚フレーム５の位置決めを容易にするために、図４に示すように、横フレーム４の長手方向Ｅに沿わせて脚フレーム５の位置決め用の目盛り９が予め付されている。本例では、脚フレーム５の取付金具７ａを取付け用溝６にスライド自在に嵌め込んだ状態で目盛り９を目視できるように、例えば、横フレーム４の一側面４ａ上に目盛り９を付してある。なお目盛り９の位置は、取付け用溝６の近傍位置であればよく、横フレーム４の一側面４ａに限らず、例えば横フレーム４近傍のカウンターフレーム３の下面部分（図４の３ａ又は３ｂ部分）であってもよい。なお、図面では目盛り９に添えられる数字は図示省略している。
【００１７】
次に、工場製作から現場施工までの一連の動作を説明する。工場では基本ユニット１Ａとなるカウンターフレーム３、横フレーム４、脚フレーム５等を製作する。カウンターフレーム３の下面には予め横フレーム４を取り付け、この横フレーム４の長手方向Ｅに沿って上記位置決め用の目盛り９を付しておく。なお脚フレーム５は工場では未だ取り付けられないが、出荷前には、ユーザーの希望に応じたキッチンプランに合わせて、脚フレーム５の取付け位置を予め採寸しておき、例えば「カウンターフレーム３の一端部からＸｃｍの位置」という採寸データを、現場の作業者が認識できるように例えば商品の梱包材或いは説明書等にメモ書きしておく。
【００１８】
上記商品を出荷して、現場に搬入して組み立てるときは、図２に示すように、カウンターフレーム３を仰向けにして横フレーム４を上向きとし、２組の固定脚ブロック５Ｂを組み立て、その各脚フレーム５´をそれぞれブラケット（図示せず）を用いてカウンターフレーム３の下面の四隅に直接固定する。一方、２組の脚ブロック５Ａを組み立て、図５（ａ）に示すように、脚フレーム５の取付金具７ａの締結用ナット７ｂを横フレーム４の取付け用溝６に上から嵌め込み、取付け用溝６内部で締結用ナット７ｂを回転させて図５（ｂ）に示すように、取付け用溝６に引掛け状態とする。この段階では、脚フレーム５は取付け用溝６に沿ってスライド自在である。そして、横フレーム４の外面に付された目盛り９を見て、工場からの採寸データ、例えば「カウンターフレーム３の一端部からＸｃｍの位置」に合わせて脚フレーム５を位置決めし、その後図５（ｃ）に示すように、工具８を矢印ｄ方向に廻して取付ネジ７ｃを締結すると、図６に示すように、締結用ナット７ｂが取付け用溝６内面に圧接することで脚フレーム５が横フレーム４に対して固定される。このように脚フレーム５の固定作業を、各脚ブロック５Ａごとに行なうことにより、予め選ばれたキッチンプランの仕様通りの脚フレーム５の取付け位置を忠実に再現できるようになる。最後に、各連結桟１２相互間に補強桟１１を架け渡して、連結金具１７にて連結桟１２と補強桟１１とを固定する。
【００１９】
しかして、現場での脚フレーム５の位置決めを、従来のように物差しで行なうのではなく、横フレーム４に付された目盛り９を見て行なえるので、物差しを使用する場合と比較して採寸作業がはかどるだけでなく採寸ミスもなくなり、結果、現場での脚フレーム５の位置決め作業の手間を著しく軽減でき、施工性の向上を図ることができる。しかも目盛り９が付された横フレーム４は、フレーム型キッチン１の施工後にはカウンターフレーム３の下に隠れるので、目盛り９によってフレーム型キッチン１の美観が損なわれることもない。
【００２０】
なお、目盛り９に代えて、図７に示すように、横フレーム４の外面に、予め選ばれたキッチンプランの仕様に応じた脚フレーム５の取付け位置を示すための目印１０を付するようにしてもよい。この場合、目印１０によって脚フレーム５の取付け位置が一目でわかり、現場での採寸作業が不要となり、組み立て作業が一層容易化する利点がある。
【００２１】
また本例の基本ユニット１Ａを構成する各フレーム３〜５を、アルミニウム製或いはステンレススチール製とすることにより、長期に亘って美しく使用でき、そのうえ、施工後であっても、新たな機能部品を思いついたら自由に追加、或いは取り換えができる。その一例を挙げると、（１）脚ブロック５Ａ，５Ａ間の収納空間２をオープンにして、ワゴン等を出し入れ自在に収納するオープンプラン、（２）収納空間２に引出し１Ｂを取り付けたり、網棚、扉等を取り付ける収納プラン、（３）収納空間２に食器洗い乾燥機やオーブンなどを組み込むプラン等が考えられる。ここで、図３は引出し１Ｂを取り付けるプランの一例を示している。図３中の１８は底板である。
【００２２】
上記（１）〜（３）に示される様々な仕様のキッチンプランに選択するにあたって、図１に示す開口寸法Ｗ（例えば２５５０ｍｍ）において、施工当初はＷ１（８２０ｍｍ）、Ｗ２（７１０ｍｍ）、Ｗ３（８６０ｍｍ）であっても、脚ブロック５Ａ間の開口寸法Ｗ２を変えることにより、ライフスタイルや個人の好みの変化に併せて、自由自在に必要な機能だけをプラスしていき、自分専用のキッチンをつくり上げることができ、マンネリ化を解消できるなど、機能優先のシンプルなスタイルにできる。しかも基本ユニット１Ａ自体の構造は変えなくてよいため、低コストで済む。そのうえ、脚フレーム５の位置を変える際には、横フレーム４に付されている目盛り９を利用して、脚フレーム５の位置調整が容易にできる利点もある。
【００２３】
さらに本例では、図２に示すように、横フレーム４と平行な方向Ｅ´に向き且つ脚フレーム５，５´と直交する方向に向けて、すべての連結桟１２間に跨るように架設される補強桟１１には、図８に示すように、その外面の長手方向Ｅに沿わせて、脚フレーム５の垂直状態を確認するための目盛り９´が付されている。これにより、補強桟１１の目盛り９´を見て脚フレーム５が垂直に取り付けられているかどうかの確認ができる。つまり、脚フレーム５の上端部は横フレーム４上の目盛り９によって所望の位置に位置決めされるが、脚フレーム５が垂直に取り付けられず、傾いていることがあるため、補強桟１１の目盛り９を見ることで各脚フレーム５が垂直に取り付けられているかどうかの確認でき、物差しによる採寸作業を省略でき、これにより、各脚フレーム５を垂直に取り付ける作業が容易となり、施工効率が一層向上する。なお、図８の目盛り９´に代えて、脚フレーム５の垂直状態を一目で確認できるようにする目印を付してもよい。
【００２４】
本発明に係る目盛り機能を備えたフレーム型キッチン１は、現場で組み立て施工されるキャビネットの分野に広く適用可能である。
【図面の簡単な説明】
【００２５】
【図１】本発明の一実施形態に用いられるフレーム型キッチンの基本ユニットを示す斜視図である。
【図２】同上の基本ユニットの組み立て動作を説明する分解斜視図である。
【図３】同上の基本ユニットに引出しを取り付ける場合の一例を示す分解斜視図である。
【図４】同上の横フレームの外面に目盛りを付した状態を説明する破断斜視図である。
【図５】（ａ）は同上の脚フレームを横フレームの取付け用溝に取り付ける前の状態を説明する斜視図、（ｂ）は脚フレームの取付金具の締結用ナットを取付け用溝に引掛けた状態を説明する平面図、（ｃ）は同上の脚フレームを横フレームの目盛りを見て取付け用溝に位置決めして取り付けた状態を説明する斜視図である。
【図６】同上の横フレームに対する脚フレームの取り付け状態を説明する破断斜視図である。
【図７】本発明の他の実施形態であり、（ａ）は同上の脚フレームを横フレームの取付け用溝に取り付ける前の状態を説明する斜視図、（ｂ）は同上の脚フレームを横フレーム上の目印に合わせて取り付けた状態を説明する斜視図である。
【図８】同上の補強桟に目盛りを付した場合の斜視図である。
【符号の説明】
【００２６】
１  フレーム型キッチン
２  収納空間
３  カウンターフレーム
４  横フレーム
５  脚フレーム
６  取付け用溝
７  取付手段
９  目盛り
１０  めじ
１１  補強桟
Ａ  奥行き方向
Ｂ  横幅方向
Ｃ  高さ方向
Ｅ  横フレームの長手方向  
【図１】
2006296961.tif 000003
【図２】
2006296961.tif 000004
【図３】
2006296961.tif 000005
【図４】
2006296961.tif 000006
【図５】
2006296961.tif 000007
【図６】
2006296961.tif 000008
【図７】
2006296961.tif 000009
【図８】
2006296961.tif 000010